(57)【特許請求の範囲】
【請求項１】
改修対象の既設自由勾配側溝の逆Ｕ字型を呈する側溝ブロックの上部を切断除去し、残存する側溝ブロックの左右の立ち上がり側壁部の切断除去面上に、この左右の立ち上がり側壁部の対向内側面に当接若しくは近接配設してこの立ち上がり側壁部が対向内側に倒れないように支持する金属製の側壁支持板部が下部に垂設された構成の側溝上部補修体を設置すると共に、この立ち上がり側壁部の対向内側面に当接若しくは近接配設する前記側壁支持板部の下端が、前記切断除去面より３０ｍｍ以上下方へ位置するようにして切断除去面上に側溝上部補修体を設置し、次いで、この側溝上部補修体の下面と前記立ち上がり側壁部の切断除去面との間に硬化剤を充填し、この硬化剤の硬化により側溝上部補修体を前記立ち上がり側壁部の切断除去面に固定することを特徴とする自由勾配側溝の改修工法。
【請求項２】
前記側溝上部補修体は、この側溝上部補修体の前後方向に連続する形状の前記側壁支持板部が左右下部に垂設された構成であること特徴とする請求項１記載の自由勾配側溝の改修工法。
【請求項３】
前記側溝上部補修体は、厚さ２ｍｍ以上の鋼板で成る前記側壁支持板部が左右下部に垂設された構成であることを特徴とする請求項１，２のいずれか１項に記載の自由勾配側溝の改修工法。
【請求項４】
前記側溝上部補修体は、金属フレームを具備し、この金属フレームに前記側壁支持板部が一体成形された構成であることを特徴とする請求項１〜３のいずれか１項に記載の自由勾配側溝の改修工法。
【請求項５】
前記側溝上部補修体は、左右下部に、前記左右の立ち上がり側壁部の切断除去面に当接する脚部が垂下突設されると共に、この脚部は、側溝上部補修体下部からの垂下突出量が可変自在に設けられた構成であり、この脚部を前記切断除去面に当接することで側溝上部補修体を切断除去面上に設置した後、脚部の垂下突出量を調整設定することで側溝上部補修体を適正な設置姿勢に昇降調整し、次いで、側溝上部補修体の下面と前記立ち上がり側壁部の切断除去面との間の隙間に硬化剤を充填することを特徴とする請求項１〜４のいずれか１項に記載の自由勾配側溝の改修工法。
【請求項６】
前記左右の立ち上がり側壁部の切断除去面に連結凹部を設け、この左右の立ち上がり側壁部の切断除去面上に前記側溝上部補修体を設置する際、この側溝上部補修体の前記脚部を前記連結凹部内に配して当接することを特徴とする請求項５記載の自由勾配側溝の改修方法。
【請求項７】
前記側溝上部補修体は、左右部に昇降調整ボルトを挿通するためのボルト挿通孔が上下方向に貫通形成されると共に、このボルト挿通孔に雌螺子部が設けられ、このボルト挿通孔に挿通された前記昇降調整ボルトが雌螺子部に螺着されて、このボルト挿通孔から側溝上部補修体の下方へ突出する昇降調整ボルトの先端部が、昇降調整ボルトの螺動により垂下突出量を可変自在な前記脚部とされた構成であり、この脚部を前記切断除去面に当接することで側溝上部補修体を切断除去面上に設置した後、昇降調整ボルトの基端部の回動操作部を回動操作することで側溝上部補修体を適正な設置姿勢に昇降調整することを特徴とする請求項５，６のいずれか１項に記載の自由勾配側溝の改修工法。
【発明の詳細な説明】
【技術分野】
【０００１】
本発明は、老朽化した自由勾配側溝の改修工法に関するものである。
【背景技術】
【０００２】
老朽化した自由勾配側溝の改修は、路面から側溝ブロックを掘り出して新たな側溝ブロックに取り替える工法が一般的であるが、このような従来工法の場合、その改修施工期間中、バイパス路（迂回路）などを設けてその改修箇所における側溝機能を維持しなければならないため、手間とコストを要するものであった。
【０００３】
一方、出願人は、老朽化したＵ字型側溝の改修工法として、側溝ブロックの上部を切断除去し、その除去した部分にコンクリート蓋やグレーチングなどの閉塞部材を載置する載置面部を有する形状に予め形成しておいたコンクリート製の改修用部材を新設する側溝改修工法（特許文献１）や、除去した部分にＬ型側溝用ブロックを新設する側溝改修工法（特許文献２）を提案している。
【０００４】
具体的には、例えば、既存側溝の側溝ブロックの上方部分をコンクリートカッター等で切断除去して、この切断除去面に昇降調整ボルトを挿通配設する連結孔を穿設し、この複数の連結孔と改修用部材（側溝上部補修体）に形成された複数の螺着孔とを位置合わせして切断除去面に側溝上部補修体を設置し、この位置合わせした連結孔と螺着孔とに夫々昇降調整ボルトを挿通配設すると共に螺着孔には螺着し、昇降調整ボルトを回動調整して側溝上部補修体を適正な姿勢に是正した後、側溝ブロックの切断除去部分と側溝上部補修体との隙間に硬化剤を充填して側溝上部補修体を固定するものである。
【０００５】
そして、これらの工法によれば、側溝ブロックを路面から掘り出すことなく、その上部のみを切断除去するので、切り残した側溝ブロックの下部分により側溝機能を維持したまま改修施工を実施でき、バイパス路（迂回路）を設ける必要がないために簡単に側溝改修を行えることになる。
【０００６】
また、従来から、底のない逆Ｕ字型の側溝ブロックを施工後に、インバート（底）コンクリートを打設して自由な勾配を作るようにした自由勾配側溝が実施されている。
【先行技術文献】
【特許文献】
【０００７】
【特許文献１】特開２００６−３２２１３８号公報
【特許文献２】特開２００８−２４０３５８号公報
【発明の概要】
【発明が解決しようとする課題】
【０００８】
出願人は、老朽化した自由勾配側溝にも、上記特許文献１，２のような改修工法を実施できないかと考えた。
【０００９】
しかし、自由勾配側溝に用いる側溝ブロックは、この側溝ブロック自体に底板が備わっていないため、Ｕ字型ブロックと同じように上方部分を天板部とともに切断除去してしまうと側壁部の支えが失われてしまい、支えのない側壁部が対向内側に倒れてしまうと側溝機能を損なうおそれがあるために困難であった。
【００１０】
出願人は、このような現状に鑑みて更に試行錯誤し、自由勾配側溝の側溝ブロックの上方部分を切断除去して切り残した側溝ブロックの下部分により側溝機能を維持したまま改修施工を実施できる本発明を完成させるに至った。
【課題を解決するための手段】
【００１１】
添付図面を参照して本発明の要旨を説明する。
【００１２】
改修対象の既設自由勾配側溝の逆Ｕ字型を呈する側溝ブロック１の上部を切断除去し、残存する側溝ブロック１の左右の立ち上がり側壁部２の切断除去面３上に、この左右の立ち上がり側壁部２の対向内側面に当接若しくは近接配設してこの立ち上がり側壁部２が対向内側に倒れないように支持する金属製の側壁支持板部５が下部に垂設された構成の側溝上部補修体４を設置すると共に、この立ち上がり側壁部２の対向内側面に当接若しくは近接配設する前記側壁支持板部５の下端が、前記切断除去面３より３０ｍｍ以上下方へ位置するようにして切断除去面３上に側溝上部補修体４を設置し、次いで、この側溝上部補修体４の下面と前記立ち上がり側壁部２の切断除去面３との間に硬化剤６を充填し、この硬化剤６の硬化により側溝上部補修体４を前記立ち上がり側壁部２の切断除去面３に固定することを特徴とする自由勾配側溝の改修工法に係るものである。
【００１３】
また、前記側溝上部補修体４は、この側溝上部補修体４の前後方向に連続する形状の前記側壁支持板部５が左右下部に垂設された構成であること特徴とする請求項１記載の自由勾配側溝の改修工法に係るものである。
【００１４】
また、前記側溝上部補修体４は、厚さ２ｍｍ以上の鋼板で成る前記側壁支持板部５が左右下部に垂設された構成であることを特徴とする請求項１，２のいずれか１項に記載の自由勾配側溝の改修工法に係るものである。
【００１５】
また、前記側溝上部補修体４は、金属フレーム14を具備し、この金属フレーム14に前記側壁支持板部５が一体成形された構成であることを特徴とする請求項１〜３のいずれか１項に記載の自由勾配側溝の改修工法に係るものである。
【００１６】
また、前記側溝上部補修体４は、左右下部に、前記左右の立ち上がり側壁部２の切断除去面３に当接する脚部７が垂下突設されると共に、この脚部７は、側溝上部補修体４下部からの垂下突出量が可変自在に設けられた構成であり、この脚部７を前記切断除去面３に当接することで側溝上部補修体４を切断除去面３上に設置した後、脚部７の垂下突出量を調整設定することで側溝上部補修体４を適正な設置姿勢に昇降調整し、次いで、側溝上部補修体４の下面と前記立ち上がり側壁部２の切断除去面３との間の隙間13に硬化剤６を充填することを特徴とする請求項１〜４のいずれか１項に記載の自由勾配側溝の改修工法に係るものである。
【００１７】
また、前記左右の立ち上がり側壁部２の切断除去面３に連結凹部８を設け、この左右の立ち上がり側壁部２の切断除去面３上に前記側溝上部補修体４を設置する際、この側溝上部補修体４の前記脚部７を前記連結凹部８内に配して当接することを特徴とする請求項５記載の自由勾配側溝の改修方法に係るものである。
【００１８】
また、前記側溝上部補修体４は、左右部に昇降調整ボルト９を挿通するためのボルト挿通孔11が上下方向に貫通形成されると共に、このボルト挿通孔11に雌螺子部12が設けられ、このボルト挿通孔11に挿通された前記昇降調整ボルト９が雌螺子部12に螺着されて、このボルト挿通孔11から側溝上部補修体４の下方へ突出する昇降調整ボルト９の先端部が、昇降調整ボルト９の螺動により垂下突出量を可変自在な前記脚部７とされた構成であり、この脚部７を前記切断除去面３に当接することで側溝上部補修体４を切断除去面３上に設置した後、昇降調整ボルト９の基端部の回動操作部10を回動操作することで側溝上部補修体４を適正な設置姿勢に昇降調整することを特徴とする請求項５，６のいずれか１項に記載の自由勾配側溝の改修工法に係るものである。
【発明の効果】
【００１９】
本発明は上述のように構成したから、上部を切断除去した側溝ブロックの残存する左右の立ち上がり側壁部の切断除去面上に側溝上部補修体を設置することで、この左右の立ち上がり側壁部を倒れ防止状態に支持でき、従って逆Ｕ字型を呈し、上部を切断除去すると残存する左右の立ち上がり側壁部の支えが失われる自由勾配側溝用の側溝ブロックへの改修でありながら、改修中に側溝機能を確実に維持でき、バイパス路（迂回路）を設けることなく簡単に改修することが可能となる極めて実用性に優れた自由勾配側溝の改修工法となる。
【００２０】
また、請求項２記載の発明においては、前後方向に連続する側壁支持板部によって左右の立ち上がり側壁部を倒れ防止状態に支持しつつ、左右の立ち上がり側壁部２間の適正な対向間隔を確保したまま改修を行うことが可能となる一層実用性に優れた自由勾配側溝の改修工法となる。
【００２１】
また、請求項３記載の発明においては、強度のある鋼板（側壁支持板部）によって重量のある立ち上がり側壁部を確実に倒れ防止状態に支持して側溝機能を維持可能となる一層実用性に優れた自由勾配側溝の改修工法となる。
【００２２】
また、請求項４記載の発明においては、高強度の側溝上部補修体を実現可能となる上、側壁支持板部付の側溝上部補修体を簡易に設計実現可能となる一層実用性に優れた自由勾配側溝の改修工法となる。
【００２３】
また、請求項５記載の発明においては、側溝上部補修体を左右の立ち上がり側壁部に対して適正な設置姿勢に昇降調整することができ、しかも、この際に側溝上部補修体の下面と立ち上がり側壁部の切断除去面との間に生じる隙間に硬化剤を簡単に充填できるので、側溝上部補修体を立ち上がり側壁部に容易に固定可能となる一層実用性に優れた自由勾配側溝の改修工法となる。
【００２４】
また、請求項６記載の発明においては、立ち上がり側壁部に対する側溝上部補修体の横ずれ防止機能が発揮されて、立ち上がり側壁部の倒れ防止効果が一層良好に発揮されると共に、立ち上がり側壁部と側溝上部補修体との固定状態が一層堅固となるなど、極めて実用性に優れた自由勾配側溝の改修工法となる。
【００２５】
また、請求項７記載の発明においては、側溝上部補修体の下面からの垂下突出量を可変自在な脚部を簡易に設計実現可能となる上、この脚部の垂下突出量の可変調整を回動操作によって容易に行うことができる一層実用性に優れた自由勾配側溝の改修工法となる。
【図面の簡単な説明】
【００２６】
【図１】老朽化した既設自由勾配側溝の側溝ブロックを示す説明斜視図である。
【図２】図１の側溝ブロックの蓋部を切断除去する様子を示す説明拡大正断面図である。
【図３】図２に続いて、側溝ブロックの上部を切断除去する様子を示す説明拡大正断面図である。
【図４】図３に続いて、左右の立ち上がり側壁部の切断除去面に連結凹部を設けた状態を示す説明拡大正断面図である。
【図５】図４に続いて、切断除去面上に側溝上部補修体を設置しようとする様子を示す説明斜視図である。
【図６】図５に続いて、切断除去面上に側溝上部補修体を設置した状態を示す説明拡大正断面図である。
【図７】図６に続いて、側溝上部補修体を昇降調整する様子を示す部分拡大説明斜視図である。
【図８】図７に続いて、側溝ブロックの切断除去部分と側溝上部補修体との間に硬化剤を充填する様子を示す説明拡大正断面図である。
【図９】図８に続いて、昇降調整ボルトの上部を切断除去する様子を示す説明拡大正断面図である。
【図１０】図９に続いて、蓋載置用空間部にコンクリート蓋を装着する様子を示す説明斜視図である。
【図１１】本実施例の施工完了状態を示す説明拡大正断面図である。
【発明を実施するための形態】
【００２７】
好適と考える本発明の実施形態を、図面に基づいて本発明の作用を示して簡単に説明する。
【００２８】
改修対象の既設自由勾配側溝の逆Ｕ字型を呈する側溝ブロック１の上部を切断除去し、残存する側溝ブロック１の左右の立ち上がり側壁部２の切断除去面３上に側溝上部補修体４を設置する。
【００２９】
すると、側溝上部補修体４の下部に垂設する側壁支持板部５が、残存する側溝ブロック１の左右の立ち上がり側壁部２の対向内側面に当接若しくは近接配設することになる。
【００３０】
また、本発明では、この立ち上がり側壁部２の対向内側面に当接若しくは近接配設する側壁支持板部５の下端が、前記切断除去面３より３０ｍｍ以上下方へ位置するようにして切断除去面３上に側溝上部補修体４を設置する。
【００３１】
すると、上部が切断除去されたことで内側への倒れ防止機能が失われている左右の立ち上がり側壁部２が、互いの対向内側に倒れようとしても、金属製で強度のある側壁支持板部５によって倒れないように支持されることになり、しかも切断除去面３より３０ｍｍ以上垂下している側壁支持板部５が広い面積（板面）で立ち上がり側壁部２を支持可能であるので、重量のあるコンクリート製の立ち上がり側壁部２であっても確実に倒れ防止状態に支持して改修中の側溝機能を維持できることになる。
【００３２】
次いで、側溝上部補修体４の下面と前記立ち上がり側壁部２の切断除去面３との間に硬化剤６を充填し、この硬化剤６の硬化により側溝上部補修体４を前記立ち上がり側壁部２の切断除去面３に固定して、改修完了となる。
【００３３】
従って、逆Ｕ字型を呈し、上部を切断除去すると残存する左右の立ち上がり側壁部２の支えが失われる自由勾配側溝用の側溝ブロック１の改修でありながら、改修中に側溝ブロック１の側溝機能を確実に維持することができるので、バイパス路（迂回路）を設ける必要がなく、簡単に改修工事を行うことができる。
【００３４】
また、例えば、前記側溝上部補修体４は、この側溝上部補修体４の前後方向に連続する形状の前記側壁支持板部５が左右下部に垂設された構成であることとすれば、この前後方向に連続する側壁支持板部５に左右の立ち上がり側壁部２が支持されると、改修中に左右の立ち上がり側壁部２間の間隔が変化してしまうような位置ずれを生じにくく、従って左右の立ち上がり側壁部２間が適正な対向間隔を確保したまま改修を行うことができる。
【００３５】
また、例えば、前記側溝上部補修体４は、厚さ２ｍｍ以上の鋼板で成る前記側壁支持板部５が左右下部に垂設された構成であることとすれば、強度のある鋼板（側壁支持板部５）が重量のある立ち上がり側壁部２を確実に倒れ防止状態に支持して側溝機能を維持できることになる。
【００３６】
また、例えば、前記側溝上部補修体４は、金属フレーム14を具備し、この金属フレーム14に前記側壁支持板部５が一体成形された構成であることとすれば、金属フレーム14を具備する高強度の側溝上部補修体４となる上、この金属フレーム14を利用して側壁支持板部５付の側溝上部補修体４を簡易に設計実現可能となる。
【００３７】
また、例えば、前記側溝上部補修体４は、左右下部に、前記左右の立ち上がり側壁部２の切断除去面３に当接する脚部７が垂下突設されると共に、この脚部７は、側溝上部補修体４下部からの垂下突出量が可変自在に設けられた構成であることとすれば、この脚部７を前記切断除去面３に当接することで側溝上部補修体４を切断除去面３上に設置した後、脚部７の垂下突出量を調整設定することで側溝上部補修体４を適正な設置姿勢に昇降調整することができ、次いで、この昇降調整によって側溝上部補修体４の下面と前記立ち上がり側壁部２の切断除去面３との間に生じた隙間13に硬化剤６を容易に充填することができる。
【００３８】
また、例えば、前記左右の立ち上がり側壁部２の切断除去面３に連結凹部８を設け、この左右の立ち上がり側壁部２の切断除去面３上に前記側溝上部補修体４を設置する際、この側溝上部補修体４の前記脚部７を前記連結凹部８内に配して当接することとすれば、脚部７を連結凹部８内に配することで、側溝上部補修体４（の脚部７）に対する立ち上がり側壁部２の横ずれ防止機能が発揮されて立ち上がり側壁部２の倒れ防止作用が一層良好に発揮されることになると共に、立ち上がり側壁部２に側溝上部補修体４が一層堅固に固定されることになる。
【実施例】
【００３９】
本発明の具体的な実施例について図面に基づいて説明する。
【００４０】
本実施例は、老朽化した既設自由勾配側溝の側溝ブロック１の上部を切断除去し、残存する側溝ブロック１の左右の立ち上がり側壁部２の切断除去面３上に、切断除去部分に相当する側溝上部補修体４を新設する自由勾配側溝の改修工法に係るものである。
【００４１】
本実施例で使用する側溝上部補修体４は、前記側溝ブロック１の上部形状と同等の形状となる長方形板状体に構成している。
【００４２】
更に具体的には、この側溝上部補修体４は、側溝ブロック１の長さと同等の長さを有する側枠部15を側溝ブロック１の左右幅よりやや幅狭となるようにして平行に配置し、この側枠部15間に複数（図面では四本）の連結枠部16を架設して梯子形状に形成した金属フレーム14を具備している。
【００４３】
また、この金属フレーム14の側枠部15と連結枠部16とは断面コ字状の鋼杆材で構成し、中央側の二本の連結枠部16間の間隔を二枚直列に並べたコンクリート蓋17の長さ幅に対応する間隔に設定して、この中央側二本の連結枠部16と側枠部15とによって囲まれた蓋装着用空間部18を形成している。
【００４４】
また、各側枠部15の対向内側の下縁部の全範囲に帯状の延設板部を設け、この延設板部を水平方向に折曲して、この水平延設板部19を前記蓋装着用空間部18に配設したコンクリート蓋17を載置装着するための載置部19としている。
【００４５】
また、前記金属フレーム14の前記蓋装着用空間部18を除いた両端側の連結枠部16と側枠部15で囲繞された範囲を、図示省略の鉄筋を組み込んでコンクリートを打設したコンクリート部20に形成して、全体形状を中間部に空間（蓋装着用空間部18）を有する略長方形板状体の側溝上部補修体４に構成している。
【００４６】
また、この側溝上部補修体４は、上部が切断除去されて残存している前記側溝ブロック１の左右の立ち上がり側壁部２の対向内側面に近接配設してこの立ち上がり側壁部２が対向内側に倒れないように支持する金属製の側壁支持板部５を下部に垂設している。
【００４７】
具体的には、前記各載置部19の対向内縁部の全範囲に帯状の延設板部を設け、この延設板部を垂直方向に折曲して、この垂直延設板部５を前記側壁支持板部５としている。
【００４８】
即ち、側溝上部補修体４の短辺の長さ方向を左右方向とした際のこの側溝上部補修体４の下面の左右部に、前後方向に帯状に連続する形状の前記側壁支持板部５が垂設する構成としている。
【００４９】
また、この各側壁支持部５は、厚さ２ｍｍ以上の鋼板で構成して、高強度を発揮し得るようにしている。
【００５０】
また、この各側壁支持部５は、側溝上部補修体４の下面（前記載置部19の下面）からの垂下長を、側溝上部補修体４を立ち上がり側壁部２の切断除去面３上に設置した際に、この側壁支持部５が立ち上がり側壁部２上部の対向内側面に重なるようにして当接若しくは近接配設する垂下長を有するように設定構成としている。
【００５１】
更に詳しくは、各側壁支持部５は、側溝上部補修体４の下面（前記載置部19の下面）からの垂下長を、７０〜８０ｍｍ（好ましくは７５ｍｍ）程度に設定している。
【００５２】
また、この各側壁支持部５の下縁部の対向外側面に、柔軟性を有する長尺形状のシール部材22を載置し、このシール部材22を前記立ち上がり側壁部２の対向内側面に当接することで各側壁支持部５と立ち上がり側壁部２の対向内側面との隙間を埋めて、前記切断除去面３と側溝上部補修体４の下部との間の隙間13に硬化剤６を充填する際に硬化剤６の漏出を防止する構成としている。
【００５３】
また、この側溝上部補修体４は、左右下部に、前記左右の立ち上がり側壁部２の切断除去面３に当接する脚部７を垂設すると共に、この脚部７は、側溝上部補修体４下部からの垂下突出量を可変自在に設けている。
【００５４】
具体的には、前記蓋装着用空間部18の四隅部に相当する前記左右の各載置部19の前後部に昇降調整用ボルト９を上下方向に挿通可能なボルト挿通孔11を貫通形成し、この四箇所のボルト挿通孔11の存する各載置部19の下面に、ナット21をその雌螺子部12が各ボルト挿通孔11と連通するようにして付設（溶接）している。
【００５５】
また、この各ボルト挿通孔11に前記昇降調整ボルト９としての無頭ボルト９を挿入し雌螺子部12に螺着して、この各昇降調整ボルト９の先端部（下端部）をボルト挿通孔11から側溝上部補修体４の下方へ突出させた構成とし、この側溝上部補修体４の下方へ突出する各昇降調整ボルト９の先端部を前記脚部７としている。
【００５６】
即ち、各昇降調整ボルト９の先端部が、雌螺子部12に対するこの昇降調整ボルト９の回動螺動により垂下突出量を可変自在な前記脚部７として機能し、各立ち上がり側壁部２の切断除去面３に二箇所ずつこの脚部７が当接して合計四箇所の脚部７によって安定的に切断除去面３に設置される構成としている。
【００５７】
また、昇降調整ボルト９は、基端部（上端部）に回動操作部10としての六角穴10を穿設して、六角棒レンチなどの回動工具23で回動操作し得るように構成している。
【００５８】
次に、本実施例の側溝上部補修体４を用いた自由勾配側溝の改修工法を説明する。
【００５９】
先ず、改修対象の既設自由勾配側溝の逆Ｕ字型側溝ブロック１（図１参照）の蓋部分を適宜なコンクリート切断機24で縦方向に切断して切断部分を除去し、側溝ブロック１内にコンクリート切断機24の切断刃を配置できるようにする（図２参照）。
【００６０】
次いで、側溝ブロック１内にコンクリート切断機24の切断刃を配置し、側溝ブロック１の左右上部を横方向に切断して（図３参照）切断部分を除去する（図４参照）。
【００６１】
次いで、残存する側溝ブロック１の左右の立ち上がり側壁部２上部の切断除去面３上に、前記側溝上部補修体４の前記各脚部７に位置を対応させて縦穴状の連結凹部８を設ける（図４参照）。また、この連結凹部８は、丸穴状であってその開口径を昇降調整ボルト９のボルト径より大きい径寸法としている。
【００６２】
次いで、この連結凹部８には昇降調整ボルト９の先端部（脚部７）を挿入し連結凹部８の底部に当接させて側溝上部補修体４を切断除去面３上に設置し、前記各側壁支持板部５を左右の立ち上がり側壁部２の対向内側面に近接配設させると共に、前記各シール部材22を立ち上がり側壁部２の対向内側面に当接させる（図５，図６参照）。
【００６３】
また、この際、各昇降調整ボルト９の回動操作部10（六角穴10）を六角棒レンチなどの回動工具23で回動操作して、側溝上部補修体４を設置する地面（道路面）の高さなどの設置状況に応じて、この側溝上部補修体４の高さ調整や傾斜姿勢調整を行うと共に、立ち上がり側壁部２の対向内側面に近接配設する前記側壁支持板部５の下端が、前記切断除去面３より３０ｍｍ以上下方へ位置するように高さ調整する（図７参照）。
【００６４】
すると、上部が切断除去されたことで内側への倒れ防止機能が失われている左右の立ち上がり側壁部２が、互いの対向内側に倒れようとしても、金属製で強度のある側壁支持板部５によって倒れないように支持されることになり、しかも切断除去面３より３０ｍｍ以上垂下している側壁支持板部５が広い面積（板面）で立ち上がり側壁部２を支持可能であるので、重量のあるコンクリート製の立ち上がり側壁部２を確実に倒れ防止状態に支持して改修中の側溝機能を維持できることになる。尚、鋼製の側壁支持板部５の下端が、切断除去面３より３０ｍｍ以上下方へ位置していると、立ち上がり側壁部２の倒れ防止効果が十分に発揮されることが出願人の実験により確認されている。
【００６５】
次いで、側溝上部補修体４の下部及び左右側面と側溝ブロック１の切断除去面３（切断除去部分）との隙間13にコンクリート６を採用した硬化剤６を充填し、この硬化剤６の硬化により側溝上部補修体４を側溝ブロック１の切断除去面３に固定する（図８参照）。この際、前記シール部材22が立ち上がり側壁部２の対向内側面に当接していることで側溝ブロック１内に硬化剤６が漏出することが防止される。
【００６６】
次いで、載置部19より上方へ突出している昇降調整ボルト９の上部（基端部）を切断除去し（図９参照）、蓋装着用空間部18にコンクリート蓋17を載置装着して改修施工完了となる（図１０，図１１参照）。
【００６７】
尚、本発明は、本実施例に限られるものではなく、各構成要件の具体的構成は適宜設計し得るものである。
【００６８】
例えば、本実施例では、側溝上部補修体４の蓋装着用空間部18にコンクリート蓋17を装着した場合を示したが、グレーチング蓋を装着するようにしても良い。
【符号の説明】
【００６９】
１  側溝ブロック
２  立ち上がり側壁部
３  切断除去面
４  側溝上部補修体
５  側壁支持板部
６  硬化剤
７  脚部
８  連結凹部
９  昇降調整ボルト
10  回動操作部
11  ボルト挿通孔
12  雌螺子部
13  隙間
【図１】
0005266538.tif 000002
【図２】
0005266538.tif 000003
【図３】
0005266538.tif 000004
【図４】
0005266538.tif 000005
【図５】
0005266538.tif 000006
【図６】
0005266538.tif 000007
【図７】
0005266538.tif 000008
【図８】
0005266538.tif 000009
【図９】
0005266538.tif 000010
【図１０】
0005266538.tif 000011
【図１１】
0005266538.tif 000012